(57)【要約】      （修正有）【課題】機器に螺合して取り付けたコネクター本体の後端に、同軸ケーブルを機器に電気的に接続するようにした同軸ケーブル用コネクターを套装するに好適な保護カバーを提供する。【解決手段】コネクター本体Ｃａの外周面３ａと一致する断面多角形状の内周面１ａを備え、しかも、外周面１ｂが断面円形を成す内カバー１と、該内カバー１の前記外周面１ｂと一致する断面円形の内周面部２ａ´と締付け金具の工具係止部９の外周面と一致する断面多角形状の内周面部１０とを備えた外カバー２とで構成する。そして、該内外両カバー１，２は軸線に沿って拡開可能な素材で成る割り筒体にして、少くとも外カバー２には前記軸線に沿う両端を互いに係離自在に止着する止着手段７，８を設ける。【選択図】図１
2005079046.tif 000002
【特許請求の範囲】
【請求項１】
外周面が断面多角形の工具係止部を操作して先端側を機器に螺合して締付けるコネクター本体の後端に、締付け金具を螺合して外周面が断面多角形の工具係止部を操作して締め付けて、同軸ケーブルを前記機器に電気的に接続するようにした同軸ケーブル用コネクターを套装するものであって、コネクター本体の前記工具係止部の外周面と一致する断面多角形状の内周面を備え、しかも、外周面が断面円形を成す内カバーと、該内カバーの前記外周面と一致する断面円形の内周面部と締付け金具の前記工具係止部の外周面と一致する断面多角形状の内周面部とを備えた外カバーとで成り、該内外両カバーは軸線に沿って拡開可能な素材で成る割り筒体にして、少くとも外カバーには前記軸線に沿う両端を互いに係離自在に止着する止着手段を設けた、同軸ケーブル用コネクターの保護カバー。
【発明の詳細な説明】
【技術分野】
【０００１】
本発明は、外周面が断面多角形の工具係止部を操作して先端側を機器に螺合して締付けるコネクター本体の後端に、締付け金具を螺合して外周面が断面多角形の工具係止部を締め付けて、同軸ケーブルを前記機器に電気的に接続するようにした同軸ケーブル用コネクターを套装して該コネクターの防水、防食を図る保護カバーに関するものである。
【背景技術】
【０００２】
機器に組付けたコネクターの防水効果を図るために、該コネクターをカバーによって套装するようにした構造のものは公知である（例えば、特許文献１）。
【０００３】
【特許文献１】特開２０００−３０７９４号公報
【発明の開示】
【発明が解決しようとする課題】
【０００４】
前記従来例は、カバーで套装してコネクターの防水効果を図るものであるが、外周面が断面多角形の工具係止部を操作して先端側を機器に螺合して締付けるコネクター本体の後端に、締付け金具を螺合して外周面が断面多角形の工具係止部を締め付けて同軸ケーブルを前記機器に電気的に接続するようにした同軸ケーブル用コネクターの保護カバーに適用できる構造になっていない。
【０００５】
本発明は、概して屋外に露出して用いられる前記同軸ケーブル用コネクターに適用するに好適な保護カバーを提供することを目的として創案したものである。
【課題を解決するための手段】
【０００６】
外周面が断面多角形の工具係止部を操作して先端側を機器に螺合して締付けるコネクター本体の後端に、締付け金具を螺合して外周面が断面多角形の工具係止部を操作して締め付けて、同軸ケーブルを前記機器に電気的に接続するようにした同軸ケーブル用コネクターを套装するものであって、コネクター本体の前記工具係止部の外周面と一致する断面多角形状の内周面を備え、しかも、外周面が断面円形を成す内カバーと、該内カバーの前記外周面と一致する断面円形の内周面部と締付け金具の前記工具係止部の外周面と一致する断面多角形状の内周面部とを備えた外カバーとで成り、該内外両カバーは軸線に沿って拡開可能な素材で成る割り筒体にして、少くとも外カバーには前記軸線に沿う両端を互いに係離自在に止着する止着手段を設けた、構成とするのである。
【発明の効果】
【０００７】
外周面が断面多角形の工具係止部を操作して先端側を機器に螺合して締め付けるコネクター本体と該コネクター本体の後端に螺合して外周面が断面多角形の工具係止部を操作して締め付ける締付け金具とで成る同軸ケーブル用コネクターは、コネクター本体と締付け金具を別体に構成しているため、機器に螺合、締付けるための、コネクター本体側の操作部である断面多角形の工具係止部と、コネクター本体に螺合、締付けるための締付け金具側の操作部である断面多角形の工具係止部は、それぞれ回動させて螺合、締付け操作を行う結果、互いに常に回動角度が異なるが、本発明によればコネクター本体側と締付け金具側の工具係止部の回動角度に対応して内カバーと外カバーを外側から係合して組付けられ、内外カバー間においては断面円形の外周面と断面円形の内周面を利用してこれらを互いに係合して組付けることができる。このため、コネクターとの間で隙間の発生を可及的に防いで該コネクターを套装できるから、カバー外部側の防水（雨水）は勿論、内部側の防水すなわちコネクターの結露を可及的に防げ、同軸ケーブル用コネクターに用いるに好適な保護カバーを提供できる。
【実施例】
【０００８】
図面は、本発明に係る同軸ケーブル用コネクターの保護カバーの一実施例を示し、図１は使用状態を示す断面図、図２は外カバーの断面図、図３は外カバーの正面図、図４は内カバーの断面図、図５は内カバーの正面図である。
【０００９】
実施例の保護カバーＡは、内カバー１と外カバー２を組合わせて同軸ケーブル用コネクターＣを套装して該コネクターＣの防水効果を図るものである。
【００１０】
内カバー１は、内周面１ａを前記同軸ケーブル用コネクターＣの本体Ｃａに設けた工具係止部３の外周面３ａの断面多角形状と一致する断面多角形状と成し、外周面１ｂを断面円形状とした、軸線に沿って拡開可能な合成樹脂製の割り筒体で構成し、前記工具係止部３を套装するに足りる長さと内径を備え、前記軸線方向の一端側（同軸ケーブル用コネクターＣの基端側）に前記工具係止部３に軸線方向に係止する係止部片４を設けたものである。
【００１１】
外カバー２は、内周面２ａの一端側（同軸ケーブル用コネクターＣの基端側）を前記内カバー１を係合する第一内周面部２ａ´とし、他の一端側（コネクターＣの先端側）を同軸ケーブルａを係合する第二内周面部２ａ´´と成し、第一、第二の内周面部２ａ´，２ａ´´の間を前記コネクター本体Ｃａとで同軸ケーブル用コネクターＣを構成する締付け金具Ｃｂを係合する第三内周面部２ａ´´´と成し、各内周面部２ａ´，２ａ´´，２ａ´´´の外周面部、すなわち、外周面部２ｂを断面円形状とした、軸線に沿って拡開可能な合成樹脂製の割り筒体で構成し、第一内周面部２ａ´を前記内カバー１の外周面１ｂの断面円形状と一致する断面円形状とし、また、第二内周面部２ａ´´を前記同軸ケーブルａの断面円形状と一致する断面円形状とし、そしてまた、第三内周面部２ａ´´´を前記締付け金具Ｃｂの外形とほぼ一致する内周面形状とし、前記軸線方向の一端側（コネクターＣの基端側）に、内カバー１の係止部片４を介してコネクター本体Ｃａの前記工具係止部３に係止する係止部片５を設け、前記軸線に沿う両端に、軸線に沿う全域にして接合部片６，６´を設け、一方の接合部片６には他の一方の接合部片６´に列設した受止孔７，…に係止する係止ピン８を各受止孔７に対応させて突設したものである。
【００１２】
なお、前記第三内周面部２ａ´´´は、前記の通り、コネクターＣを構成する締付け金具Ｃｂの外形とほぼ一致する内周面形状を成すものであるが、締付け金具Ｃｂの、本体Ｃａに螺合接続するための螺合操作用の工具係止部９に対応する部分には、当該工具係止部９の断面多角形状の外周面と一致する断面多角形状の内周面部１０を部分的に設け、他の部分１０´を断面円形部としてあるが、該他の部分１０´も断面多角形と成して、前記締付け金具Ｃｂの外周面のほぼ全域にわたって接して当該金具Ｃｂ部を套装するように構成しても良い。
【００１３】
図示の同軸ケーブル用コネクターＣは、機器Ｂ（機器内の電気回路装置）と同軸ケーブルａを電気的に接続するために用いるもので、同軸ケーブルａの末端を組付けたコネクター本体Ｃａに備えた雄螺子部１１を機器Ｂ側の雌螺子に工具係止部３の多角形を利用して工具等で操作して螺合締め付けてコネクター本体Ｃａを機器Ｂに取付け、該機器Ｂに工具係止部９で工具等で操作することによって締付け金具Ｃｂを前記本体Ｃａの先端に設けた接続側の雄螺子部に螺合、締付けることによって同軸ケーブルａと機器Ｂを接続するものである。なお、図中１３は中心コンタクトを示す。
【００１４】
機器Ｂと同軸ケーブルａを接続した状態（機器Ｂに取付けた状態）にあるこのコネクターＣと機器Ｂとの間には水密用のＯリング１４を配して機器Ｂ内への雨水の侵入を防止してある。
【００１５】
しかして、機器Ｂに取付けた同軸ケーブル用コネクターＣの、機器Ｂ側のコネクター本体Ｃａに、工具係止部３の外周面３ａと内周面１ａの断面多角形状を一致させるようにして該コネクター本体Ｃａを套装するようにして内カバー１を組付け、該内カバー１の外側に内カバー１を第一内周面部２ａ´に係合して套装し、かつ、コネクターＣの締付け金具Ｃｂの工具係止部９の（断面多角形状の）外周面９ａと第三内周面部３ａ´´の断面多角形状の内周面部１０とを一致させるようにして外カバー２を内カバー１乃至コネクターＣにその外側から組付け、係止ピン８を受止孔７に係止することによりコネクターＣの保護カバーＡによる套装状態を得られるのである。
【００１６】
この套装状態にあって内外カバー１，２は、係止部片４，５がコネクターＣの工具係止部３に係止することによってコネクターＣ乃至同軸ケーブルａの軸線方向への離脱が規制される。
【００１７】
なお、工具係止部３，９（これに係合する内周面１ａと内周面部１０）は断面六角形の所謂六角ナット形状を成すが、必ずしも図１に示すように六角形にする必要はない。
【００１８】
因みに、図１で示す工具係止部３，９は同一の回転角度で描いてあるが、これは作図上の便のためで、係止部３，９の六角形は回転方向に位置がずれるのが実際で、本発明は左様な位置ずれに対応して当該コネクターに組付けられるのである。
【００１９】
工具係止部（例えば、断面六角形の）がコネクター本体側に２個ある場合は、少くともその一方の全域を取り囲む断面円形の内周面を外カバー側に設けることによって、前記の位置ずれに対応することができる（実施例は、本体側の工具係止部が単一な場合を示していることは勿論である）。
【図面の簡単な説明】
【００２０】
【図１】使用状態を示す断面図。
【図２】外カバーの断面図。
【図３】外カバーの正面図。
【図４】内カバーの断面図。
【図５】内カバーの正面図。
【符号の説明】
【００２１】
Ｂ      機器
Ｃ      同軸ケーブル用コネクター
Ｃａ    コネクター本体
Ｃｂ    締付け金具
ａ      同軸ケーブル
１      内カバー
２      外カバー
３      工具係止部
３ａ    外周面
９      工具係止部
９ａ    外周面
【図１】
2005079046.tif 000003
【図２】
2005079046.tif 000004
【図３】
2005079046.tif 000005
【図４】
2005079046.tif 000006
【図５】
2005079046.tif 000007